(57)【要約】  本発明は、寒天ゲルと、前記ゲルの内側に固定された繊維層とを含む皮膚疾患治療用パッド及びその製造方法に関する。本発明のパッドは、患部の温度を低く維持させることによって、血管拡張による血管滲出現象を抑制し、掻痒感を減少させ、同時に皮膚組織に蓄積している血漿タンパク質及び様々な血漿由来の物質を皮膚から除去して患部の症状を改善する効果を有する。
2020505132.tif 000002
【特許請求の範囲】
【請求項１】
寒天ゲルと、前記ゲルの内側に固定された繊維層とを含む、皮膚疾患治療用パッド。
【請求項２】
前記パッドは、さらに前記繊維層の上部に水分蒸発量を調節するための多孔膜を含む、請求項１に記載の皮膚疾患治療用パッド。
【請求項３】
前記パッドは、さらに前記多孔膜の上部に衣服とパッドとの接触を防止する網目構造物を含む、請求項２に記載の皮膚疾患治療用パッド。
【請求項４】
前記パッドは、さらに有機酸及びその塩のうち１つ以上を含むことを特徴とする、請求項１に記載の皮膚疾患治療用パッド。
【請求項５】
前記有機酸は、プロピオン酸、酪酸、又は酢酸であることを特徴とする、請求項４に記載の皮膚疾患治療用パッド。
【請求項６】
前記パッドは、さらにリン脂質を含むことを特徴とする、請求項１に記載の皮膚疾患治療用パッド。
【請求項７】
前記リン脂質はレシチンであることを特徴とする、請求項６に記載の皮膚疾患治療用パッド。
【請求項８】
前記繊維は、紙、天然繊維、又は合成繊維であることを特徴とする、請求項１に記載の皮膚疾患治療用パッド。
【請求項９】
前記皮膚疾患は、血漿タンパク質の血管滲出現象を示す疾患であることを特徴とする、請求項１乃至８のいずれか１項に記載の皮膚疾患治療用パッド。
【請求項１０】
前記皮膚疾患は、アトピー性皮膚炎、湿疹、乾癬、接触性皮膚炎、及び皮膚掻痒症からなる群から選択された疾患であることを特徴とする、請求項１乃至８のいずれか１項に記載の皮膚疾患治療用パッド。
【請求項１１】
寒天ゲルと、前記ゲルの内側に固定された繊維層とを含む、蚊に刺された後に適用するパッド。
【請求項１２】
寒天ゲルと、前記ゲルの内側に固定された繊維層とを含む、表皮温度を低下させるパッド。
【請求項１３】
寒天ゲルと、前記ゲルの内側に固定された繊維層とを含む、皮膚老廃物除去又は皮膚表面に付いた塵埃除去用パッド。
【請求項１４】
寒天をＮａＣｌ溶液に入れて滅菌した後、前記溶液が固化する前に溶液の表面に繊維を載せて寒天と共に一体になるように硬化させるステップを含む、皮膚疾患治療用パッドの製造方法。
【請求項１５】
前記方法は、前記溶液が固化する前に、有機酸及びリン脂質のうち１つ以上の成分をさらに添加することを特徴とする、請求項１４に記載の皮膚疾患治療用パッドの製造方法。
【請求項１６】
前記繊維は、紙、天然繊維、又は合成繊維であることを特徴とする、請求項１４に記載の皮膚疾患治療用パッドの製造方法。
【請求項１７】
前記皮膚疾患は、血漿タンパク質の血管滲出現象を示す疾患であることを特徴とする、請求項１４乃至１６のいずれか１項に記載の皮膚疾患治療用パッドの製造方法。
【発明の詳細な説明】
【技術分野】
【０００１】
本発明は、アトピー性皮膚炎、湿疹及び乾癬のような滲出性皮膚疾患の症状を速やかに緩和させるために患部に密着させて使用するパッドに関する。
【背景技術】
【０００２】
アトピー性皮膚疾患の発病の原因については、様々な仮説及び主張がある。衛生仮説、免疫不均衡、オメガ−６多重不飽和脂肪酸の過度の摂取及び酸化ストレス（ｏｘｉｄａｔｉｖｅ  ｓｔｒｅｓｓ）の増加、イエダニ及び食物アレルギーなどが発病の原因として多く取り上げられてきたが、これまで原因が明らかにされていなかった。
【０００３】
アトピー性皮膚疾患の発病の原因は明らかになっていないが、症状が発現される患部で共通して観察されるいくつかの生化学的及び分子生物学的な現象に基づいて、症状を緩和又は軽減させ得る方法を提供することができる。
【０００４】
本特許がベースとする科学的背景及び追求しようとする目的を裏付ける理論は、次の通りである。
【０００５】
１．血漿タンパク質の滲出（ｌｅａｋａｇｅ）
表皮の下に分布している微細血管網の血管から、血漿アルブミン及びこれより小さい分子量を有する様々な血漿タンパク質が滲み出て表皮組織に蓄積するという事実である。炎症の発生の結果物として血管滲出現象が起こるのか、又はこのような滲出現象が起こるため炎症が発生するのかは明確ではないが、血漿タンパク質の血管滲出現象は、明らかに観察される共通した現象の一つである。併せて、血漿アルブミンが血管から抜け出る滲出現象は、アトピー性皮膚炎、湿疹、脂漏性皮膚炎以外に乾癬症状においても報告されている。
【０００６】
血管壁から滲み出て表皮組織に蓄積する血漿アルブミン及びその他の小さいサイズの血漿タンパク質は、血管の内部に存在するときとは異なり−表皮組織では相対的に水分が十分ではないため−、その構造が変性されるか、又は互いにくっつき合うか、又は表皮脂肪分子と結合あるいは脂肪分子と共に凝集する現象を起こすことが予想できる。表皮の細胞−細胞の間の微小環境（ｍｉｃｒｏｅｎｖｉｒｏｎｍｅｎｔ）においてタンパク質の変性及び凝集などの現象が起こると、周辺の表皮脂肪の配列構造に否定的な影響を与え、結果的に、表皮の水分損失を防止する表皮脂肪の保護機能（ｓｋｉｎ  ｂａｒｒｉｅｒ  ｆｕｎｃｔｉｏｎ）を損傷させる可能性が大きい。
【０００７】
なお、アトピー及びその類似疾患の患者が感じる激しい持続的な掻痒感は、表皮組織に蓄積して滲出タンパク質が多少大きいサイズの粒子に凝集して自由神経終末に物理的な刺激を与えるようになって起こる現象であるかもしれないと疑ってみることができる。
【０００８】
２．ブドウ球菌の感染
全アトピー患者の９０％は、ブドウ球菌の感染を示す。表皮の生理的な特性上、外部環境に持続的にさらされるため、様々な菌株が患部に感染する可能性があるにもかかわらず、その中でも特にブドウ球菌が主に感染部位で繁殖する理由を説明する必要がある。
【０００９】
ブドウ球菌は、高い塩濃度でも成長できる菌株である。この事実から、アトピー性皮膚疾患及びその類似疾患などにおいて、小さなタンパク質のみが血管を介して滲み出て蓄積するものではなく、血漿に含まれる塩、カルシウムなどのようなその他のイオンが血管壁から抜け出て表皮組織に高い濃度で蓄積していると推論できる。併せて、表皮組織の微小環境に蓄積した高い塩イオン濃度は、血漿滲出タンパク質分子の変性及び凝集を加速化して表皮の固有の保護機能をさらに阻害したものと予想できる。
【００１０】
３．水分の蒸発
表皮から日常的に蒸発する水分を、水−不透過性膜（ｗａｔｅｒ−ｉｍｐｅｒｍｅａｂｌｅ  ｍｅｍｂｒａｎｅ）を用いて人為的に遮断すると、表皮の回復機能が大きく妨げられるという結果がある。表皮において水の流れ（真皮から角質表面に蒸発するまでの移動）は、表皮を復元させるのに必要な非常に重要な要素である。これまでアトピー性皮膚炎の症状を治療又は緩和させるための従来の方法及び試みにおいては、保湿及び水分の保持に焦点が合わされていた。これらの方式は、表皮の水分移動が表皮の回復に非常に決定的であるという重要なメカニズムを見落とした結果物であるといえる。
【００１１】
４．表皮温度
皮膚組織に炎症が発生すると、表皮温度が上昇することは当然の結果である。ところで、このような表皮温度の上昇は、周辺の血管をさらに拡張させるため、より多くの血漿タンパク質が血管壁を通じて滲出するようにする環境を作るようになる。また、表皮温度の上昇は、表皮から水分の蒸発をさらに増加させる要因となり、同時に、滲出した血漿に含まれる様々なイオンの濃縮を加速化させるようになる。アトピー性皮膚疾患及び類似疾患において表皮温度の調節は、症状を緩和させるのに非常に重要な要素となり得るが、これまで表皮温度を調節しようとする試みは存在しなかった。
【００１２】
深刻な重症のアトピー症状の治療において、外用ステロイド及び保湿剤を適用するための湿潤ドレッシング方法（ｗｅｔ−ｗｒａｐ  ｄｒｅｓｓｉｎｇ  ｍｅｔｈｏｄ）が導入されたことがあった。しかし、この治療方法は大衆化されなかったと判断される。その理由は、感染に脆弱であるという問題もあるが、水分の蒸発を抑制する場合、上述したように表皮の復元が妨げられるという事実と、温度の上昇による血管拡張がさらに発生する可能性、また、これによりタンパク質の滲出がさらに増加する可能性があるという結果を考慮しなかったためであると判断される。
【００１３】
本発明者は、２０１０年０７月１２日に大韓民国特許出願番号第１０−２０１０−００６６９８１号で‘血液タンパク質の滲出を伴う皮膚疾患の治療及び症状緩和用パッチ’を特許出願し、２０１２．０１．１８に公開された大韓民国特許公開公報第１０−２０１２−０００６３１５号の当該特許文献には、ＤＥＡＥ（Ｄｉｅｔｈｙｌａｍｉｎｏｅｔｈｙｌ）−ｃｅｌｌｕｌｏｓｅ又はＣＭ（ｃａｒｂｏｘｙｍｅｔｈｙｌ）−ｃｅｌｌｕｌｏｓｅなどの極性イオン樹脂を含有するゲル状のパッドを用いてアトピー性皮膚疾患及び滲出性皮膚疾患を治療する内容が記載されている。
【００１４】
ところが、このようなパッドを皮膚疾患に適用する過程においてイオン交換樹脂を用いる方式のパッドは、水分の蒸発を防止するテガダーム（ＴｅｇａｄｅｒｍＴＭ）ドレッシングを用いて表皮に付着する密閉型であることから、皮膚への適用時に表皮温度が上昇するという問題点、及び皮膚に適用する場合に掻痒感が増加するという問題があった。
【００１５】
しかも、イオン結合樹脂の官能基の極性（ｃｈａｒｇｅ）を高めて滲出タンパク質を効率的に結合させるために、純粋な蒸留水をゲルの媒質として使用した。蒸留水の使用により、長時間（４〜５時間）皮膚への適用時に、表皮が水にふやける現象が発生した。特に、角質層が損傷した、又は角質が薄くなったアトピー性皮膚炎患者から、表皮が水にふやける程度がひどくなり、この過程で痛みを伴う場合も観察された。パッドを患部から剥がした後には、患者が乾燥感を訴える場合が頻繁に発生した。このような乾燥感は、蒸留水に長い間露出されて表皮脂肪が消失することによって発生するものと判断される。従来の極性樹脂を用いるパッドでは、滲出した血漿タンパク質が表皮組織の内側に互いに凝集している状態で存在するという仮定が欠けていた。すなわち、表皮の細胞−細胞の間の空間に大きな塊の粒子に凝集している血漿由来の滲出タンパク質を除去するのに限界があり得る。
【００１６】
また、極性樹脂を使用する場合、樹脂の製造過程で発生する非結合フリー官能基（ｕｎｃｏｕｐｌｅｄ  ｆｒｅｅ  ｆｕｎｃｔｉｏｎａｌ  ｇｒｏｕｐｓ）を徹底的に洗浄する作業を必要とする。また、これらの非結合官能基は、反応性のある性質を有しているため、樹脂粒子から完壁に除去されたことを確認しなければならないという困難がある。使用する極性樹脂の効率を高めるために、樹脂の官能基（ｆｕｎｃｔｉｏｎａｌ  ｇｒｏｕｐ）を活性化（ａｃｔｉｖａｔｉｏｎ）させるために、希釈した強酸（ＨＣｌ）又は希釈した塩基（ＮａＯＨ）溶液を繰り返して用いて洗浄しなければならないという煩雑さがある。煩雑な樹脂の洗浄過程の後には、用いられた酸又は塩基溶液が完全に除去されたかを確認しなければならないという多少難しい工程と手順が必要である。
【発明の概要】
【発明が解決しようとする課題】
【００１７】
本発明は、上記の問題点を解決し、上記の必要性によって案出されたものであって、本特許の目的は、上述した生理学的な問題点を解決し、また、上述した煩雑で難しい製造過程を必要とせずに製造できる新規なパッドを提供することである。
【課題を解決するための手段】
【００１８】
上記の目的を達成するために、本発明は、寒天ゲルと、前記ゲルの内側に固定された繊維層とを含む皮膚疾患治療用パッドを提供する。本発明において、前記ゲルは、寒天ゲル以外に理論的にポリアクリルアミドゲルが使用可能であるが、人体に有害な成分（遊離したアクリルアミド分子及びｒａｄｉｃａｌ  ｆｏｒｍｅｒ  ｉ．ｅ．  ａｍｍｏｎｉｕｍ  ｐｅｒｓｕｌｆａｔｅ）が含有されていないという証拠を提示しなければならないという困難がある。
【００１９】
本発明の一具現例において、前記パッドは、さらに前記繊維層の上部に水分蒸発量を調節するための多孔膜、及び／又は、前記パッドは、さらに前記多孔膜の上部に衣服とパッドとの接触を防止する網目構造物を含むことが好ましいが、これに限定されない。
【００２０】
本発明の一具現例において、前記パッドは、さらに有機酸及び／又はその有機酸の塩を含むことが好ましく、前記有機酸は、プロピオン酸、酪酸又は酢酸であることが好ましいが、これに限定されない。
【００２１】
本発明の他の具現例において、前記パッドは、さらにリン脂質を含むことが好ましく、前記リン脂質はレシチンであることが好ましいが、これに限定されない。
【００２２】
本発明の更に他の具現例において、前記繊維は、紙、天然繊維、又は合成繊維であることが好ましく、前記天然繊維は、綿、シルク、又は毛であることが好ましく、前記合成繊維は、アクリル、ポリエステル、ナイロン、又はポリエチレンであることがより好ましいが、これに限定されない。
【００２３】
本発明の一実施例において、前記皮膚疾患は、血漿タンパク質の血管滲出現象を示す疾患であることが好ましく、前記皮膚疾患は、アトピー性皮膚炎、湿疹、乾癬、接触性皮膚炎、及び皮膚掻痒症からなる群から選択された疾患であることがより好ましいが、これに限定されない。
【００２４】
また、本発明は、寒天ゲルと、前記ゲルの内側に固定された繊維層とを含む、蚊に刺された後に適用するパッドを提供する。
【００２５】
また、本発明は、寒天ゲルと、前記ゲルの内側に固定された繊維層とを含む、表皮温度を低下させるパッドを提供する。
【００２６】
また、本発明は、寒天ゲルと、前記ゲルの内側に固定された繊維層とを含む、皮膚老廃物除去又は皮膚表面に付いた塵埃除去用パッドを提供する。
【００２７】
また、本発明は、寒天をＮａＣｌ溶液に入れて滅菌した後、前記溶液が固化する前に溶液の表面に繊維を載せて寒天と共に一体になるように硬化させるステップを含む皮膚疾患治療用パッドの製造方法を提供する。
【００２８】
本発明の一具現例において、前記方法は、前記溶液が固化する前に、有機酸及びリン脂質のうち１つ以上の成分をさらに添加することが好ましいが、これに限定されない。
【００２９】
以下、本発明を説明する。
【００３０】
本発明は、アトピー性皮膚炎、湿疹及び乾癬のような滲出を示す類似の皮膚疾患において症状を悪化させる重要な生理学的現象の一つは、血漿タンパク質の血管滲出現象であると見なしている。血管から滲出した血漿タンパク質が血管内に再び回収されないことによって、表皮組織に蓄積し、この後、これらのタンパク質が変成して互いに凝集したり、周辺の表皮脂肪と絡み合う（ａｇｇｒｅｇａｔｉｏｎ）ことがあると予想される。すなわち、表皮の固有の保護機能（ｂａｒｒｉｅｒ  ｆｕｎｃｔｉｏｎ）が妨げられて機能を正しく行うことができなくなるものと判断している。患者が感じる掻痒感もまた、滲出したタンパク質が凝集して自由神経終末に物理的な刺激を与えるようになって発生する現象であると疑っている。
【００３１】
血管を介してアルブミン又はこれより小さい血漿タンパク質が滲出すること以外にも、ＮａＣｌ、Ｃａ２＋イオンのような様々なイオンも共に滲み出て皮膚組織に蓄積するものと判断している。これらの蓄積したイオンは、ブドウ球菌の繁殖に良好な微小環境を提供し、皮膚組織の代謝を撹乱し、また、皮膚組織の正常な復元を妨げるものと考えられる。
【００３２】
炎症が発生すると血管の拡張が起こり、患部の温度が上昇する。表皮温度の上昇は、血管の滲出現象をさらに増加させる要素であって、症状を悪化させる役割をするものと判断される。
【００３３】
本発明は、上述した様々な問題点を解決するために、次のような解決方法を提供しようとする。
【００３４】
１．表皮の温度を低下させる役割；２．表皮に水分を供給して、蓄積した塩及びその他のイオンの濃度を希釈して低下させ、排出を容易にする役割；３．表皮に蓄積した滲出タンパク質の凝集を解いて表皮外に排出させる役割；４．掻痒感を減少させる役割；５．表皮の水分子の移動（ｗａｔｅｒ  ｆｌｏｗ）を促進して表皮組織の復元を促進させる役割；６．必要に応じて、抗生剤、殺菌剤を添加して感染菌の制御を図ろうとする役割などが、本特許が指向する目的である。
【００３５】
本発明は、副作用なしに、速やかに且つ安全に、滲出現象を伴う様々な皮膚疾患の症状の緩和及び改善を目的とする。
【００３６】
本発明は、アトピー性疾患、湿疹、乾癬及び様々な血漿タンパク質の血管滲出を伴う類似の皮膚疾患の症状を速やかに緩和及び改善させるための目的で患部に密着させて適用するパッド及びそのパッドに含まれる物質、並びに、そのパッドの製造方法を含む。
【００３７】
パッドの構造
本発明のパッドの構造は、水分の含有を極大化できる微細網目構造からなるゲル（ｇｅｌ）を基本形態として有する。ゲルの微細網目構造の間に水分子をはじめとする、様々なタンパク質と凝集した巨大分子（ｍａｃｒｏｍｏｌｅｃｕｌｅ）の移動が円滑な構造を有することが重要である。ゲルの成分は、人体に有害ではなく、生体及び菌株が分泌する酵素によって分解されない成分を用いる。２〜３ｍｍの厚さを有するようにし、必要に応じて（適用時間を延長させたい場合）より厚いゲルの使用が可能である。ゲルの下面（皮膚と接触する表面）は、皮膚と密着する滑らかな表面を有しなければならない。ゲルを形成する成分として、通常は寒天（ａｇａｒ又はアガロ−ス（ａｇａｒｏｓｅ））が最も適している。
【００３８】
ゲルの上面は、水の蒸発をより容易に行うことができる材質として、表面が粗くて強い紙及び薄い綿（ｃｏｔｔｏｎ）、又は表面に凹凸構造が多く製織された綿繊維、シルク繊維、ポリエステル繊維、アクリル繊維などの材質で製織された布（ｆａｂｒｉｃ）を用いる。これを繊維層という。繊維層は、ゲルの表面に存在し、皮膚と接触する下面に触れないようにする。このような繊維構造は、ゲルの表面において表面積を広げることで、水分の蒸発に役立つと同時に、ゲルの物理的な耐久性を高める役割を果たす。曲げ、引っ張り及び押しなどで損傷し易いゲルを保護する目的を有する。
【００３９】
本発明が指向するパッドは、ゲルの表面から水分の蒸発を円滑にして患部の温度を低下させる目的を有しているが、パッドの適用時に、まれに表皮の温度が過度に低下して不快感を訴える場合が観察された。このような場合に備えて、パッドの直ぐ上面に水分蒸発量を制御できる隔膜−薄いポリビニルに一定の間隔で穴あけした膜−を追加で選択的に使用することができる。水分蒸発量を減らすことによって、表皮の温度が急激に低下することを防止することができる。パッドの最上層には、水を吸収しない軟性のプラスチック、ラテックス又はウレタン材質で製造された網目構造（厚さ１ｍｍ）の保護蓋を設けることで、パッドを表皮に適用したとき、患者の衣服が接触して濡れることを防止することができる。長時間適用しなければならない患者に利便性を提供するための目的を有する。
【００４０】
パッドを患者の患部に密着させるためにサージネット（ＳｕｒｇｉｎｅｔＴＭ、伸縮性の網目形態の固定バンド）を用いることができる。接着式ドレッシングテープを使用してパッドを患部に固定する場合には、できるだけパッドの表面を露出させて水分の蒸発を妨げないようにすることが重要である。
【００４１】
本発明のパッドの構造は、図１及び図２に示した通りである。図１は、本発明のパッドの基本構造であり、（ａ）寒天ゲル、及び（ｂ）ゲルの内側に固定された繊維層のみでも本発明の目的とする効果を十分に達成した。参考までに、表１の‘Ｐ−Ｂ’（基本形態）は、図１のパッドを意味する。
【００４２】
パッドの機能及び各有効成分の説明
パッドを構成するゲルは、１．５〜５％（ｗ／ｖ）寒天（ａｇａｒ）を用い（１％ゲルは、過度にぐにゃぐにゃしていて、表皮への適用時にゲルが形態を維持できず、また、５％を超えると、ゲルが過度に固いため、表皮に密着させにくい。１．５％ゲルも、性質が多少柔らかいが、使用可能である）、ゲルの内側に気泡を含有しないようにする。ゲルが含有する基本塩濃度は、生理食塩水の３０〜９５％の濃度［表皮に蓄積した塩の量を調べることは難しいが、平均０．２ｍｍの厚さの皮膚（ｅｐｉｄｅｒｍｉｓ）に食塩水の３倍の塩濃度が濃縮されていると仮定し、蒸留水で作られた２ｍｍの厚さのゲルを表皮に適用させると、塩濃度が１０倍希釈されて、約３０％の生理食塩水濃度を有するようになる。すなわち、低い塩濃度により皮膚が水にふやけ得る濃度となるため、これを補完しようとしたもので、アトピー性皮膚炎患者は、角質がほとんど消失した場合が多いため、表皮がふやけない一定量の塩濃度が表皮を保護するものと判断され、また、５０％の食塩水濃度を有するパッドを約５時間適用した後には、水が半分程度蒸発し、ゲルの内側は食塩水濃度となる］を有するように製造する。
【００４３】
寒天のように高い含水率のゲルマトリックスは、１次的に表皮に水分を供給して、皮膚組織に蓄積したタンパク質、塩、カルシウム、様々なイオン及びその他の代謝物質を希釈するための目的を有する。
【００４４】
高い含水率のゲルマトリックスは、ゲルの表面で一定時間（厚さが２ｍｍの場合、約５時間）の間、水分の蒸発を維持して、患部の表面温度を周辺の皮膚組織よりも低く維持する役割を果たす。なお、ゲルの微細網目構造は、皮膚に蓄積したタンパク質分子及び様々なイオン分子をゲルの内側に移動させて、表皮からこれらの物質を除去する役割を果たす。皮膚上に適用したゲルの表面から水分が円滑に蒸発すると、表皮から様々な物質を吸い上げて移動させる力（ポンピング作用）が大きくなる（実施例の実験結果を参照）。ゲルのポンピング作用は、表皮組織に蓄積した不必要な分子をより迅速に除去できるようにする。皮膚組織において細胞−細胞の間の空間を介した、基底層から角質表面への水の移動（ｗａｔｅｒ  ｆｌｏｗ）は、表皮の復元に重要な要素であるため、パッドの水分ポンピング作用は、特定の皮膚疾患の患部を復元させるのに役立つ役割を果たすことができる。
【００４５】
有機酸又は短鎖脂肪酸の添加
血管から抜け出て蓄積したタンパク質は、血管の内側にあるときとは異なり、相対的に乾燥した皮膚組織の環境に露出する。このような条件では、タンパク質の構造が変成し、互いに結合し、凝集している可能性が高い。このような凝集（ａｇｇｒｅｇａｔｉｏｎ）は、周辺に蓄積したカルシウムのような２価のカチオンによってより一層深化すると予想される。滲出タンパク質、特に血漿アルブミンは、表皮が有している固有の脂肪分子と結合して水に溶けない状態で存在すると予想される。すなわち、表皮組織に蓄積したタンパク質を表皮から効率的に除去することは容易ではないと判断される。
【００４６】
凝集したタンパク質を互いに解離させ、また、結合したタンパク質−脂肪分子も互いに容易に分離させ得る性質の物質をゲルのマトリックスに添加すると、滲出タンパク質の拡散による排出をより容易にすることができる。疎水性相互作用（ｈｙｄｒｏｐｈｏｂｉｃ  ｉｎｔｅｒａｃｔｉｏｎ）、イオン結合（ｉｏｎｉｃ  ｂｏｎｄｉｎｇ）を同時に妨げることができる性質を有しており、小さい分子量を有していることによって表皮への浸透が容易でなければならない。併せて、表皮の構造の完全性に問題を起こしてはならない。表皮細胞の代謝に大きく影響を与えず、代謝されて分解及び消滅され得る特性を有しなければならない。
【００４７】
前記の条件を満たす物質として、プロピオン酸（ｐｒｏｐｉｏｎｉｃ  ａｃｉｄ／ｐｒｏｐｉｏｎａｔｅ  ｓｏｄｉｕｍ  ｓａｌｔの組み合わせ）をゲルのマトリックスに含有するようにした。プロピオン酸以外に、類似の構造及び性質を有する酪酸（ｂｕｔｙｒｉｃ  ａｃｉｄ／ｂｕｔｙｒａｔｅ  ｓｏｄｉｕｍ  ｓａｌｔの組み合わせ）又は酢酸（ａｃｅｔｉｃ  ａｃｉｄ／ａｃｅｔａｔｅ  ｓｏｄｉｕｍ  ｓａｌｔの組み合わせ）を代替して使用することができる。
【００４８】
これらの有機酸の濃度は、表皮の細胞−細胞の結合構造に問題を起こさない濃度として、マイクロモル（ｍｉｃｒｏ  Ｍ）濃度のレベルで使用可能である［有機酸のカルボキシ基は、カルシウムイオンの作用を妨げる性質がある。表皮のカルシウムイオンの濃度は、ｎＭのレベルに維持される。もし、１００ｎＭカルシウム濃度以上であると、表皮細胞は分裂信号として認識するようになる。表皮の異常増殖とも関連がある事実である。一方、血液のカルシウム濃度は２〜３ｍＭの濃度を有している。すなわち、血管壁の構造的完全性（ｔｉｇｈｔ  ｊｕｎｃｔｉｏｎ機能関連）を維持するためにはｍＭ濃度を必要とし、表皮細胞の安定性を維持するためにはｎＭ濃度を維持しなければならない。このような生理的な条件により、中間濃度であるｕＭ濃度を選択する。］。
【００４９】
レシチンの添加
表皮の構成成分の中で疎水性性質及び頭部基（ｈｅａｄ  ｇｒｏｕｐ）を有し、水によく溶ける両性物質としては、リン脂質（レシチン）がある。レシチンは、表皮脂肪の構成成分でもあるが、分子の構造的特性上、洗剤と類似した物質（ｄｅｔｅｒｇｅｎｔ−ｌｉｋｅ）又は乳化剤の役割として使用可能である。本発明では、レシチンを、滲出タンパク質を結合している表皮脂肪から解離させる目的でゲルに添加して使用する。ゲルマトリックスにミリグラム（ｍｇ／ｍｌ）のレベルで添加［レシチンを構成する各リン脂質の平均ＣＭＣ（ｃｒｉｔｉｃａｌ  ｍｉｃｅｌｌｅ  ｃｏｎｃｅｒｔａｔｉｏｎ）値は、約１ｍｇ／ｍｌ程度である。ＣＭＣよりも濃度が低いと、レシチン分子がｄｅｔｅｒｇｅｎｔ−ｌｉｋｅの役割を果たしにくくなり、濃度が高すぎると、互いに凝集してしまい、水溶液に溶解させにくい。］して、患部の症状の改善に効果を奏することができる。
【００５０】
その他の添加物。アトピー性皮膚疾患において最も問題となる感染菌はブドウ球菌である。患者の９０％がこの菌種の感染を有している。ブドウ球菌を制御すると、より速やかに症状の改善を図ることができるので、ゲルマトリックスに殺菌剤及び抗生剤を含有させて適用することができる。
【発明の効果】
【００５１】
本発明から分かるように、本発明のパッドは、表皮の温度を低下させる役割；表皮に水分を供給して、蓄積した塩及びその他のイオンの濃度を希釈して低下させ、排出を容易にする役割；表皮に蓄積した滲出タンパク質の凝集を解いて表皮外に排出させる役割；掻痒感を減少させる役割；及び表皮の水分子の移動（ｗａｔｅｒ  ｆｌｏｗ）を促進して表皮組織の復元を促進させる役割を行うことによって、副作用なしに、速やかに且つ安全に、滲出現象を伴うアトピー性皮膚疾患を含む様々な皮膚疾患の症状を緩和する効果を有する。
【図面の簡単な説明】
【００５２】
【図１】本発明のパッドの基本形態を示す図である。
【図２】基本形態に選択的に多孔膜及び網目構造物を載せて製造された構造を示す図である。図１において、ａ．寒天ゲル、ｂ．ゲルの内側に固定された繊維層、ｃ．水分蒸発量を調節するための多孔膜（選択的に使用）、ｄ．衣服とパッドとの接触を防止する網目構造物（選択的使用）を意味する。
【図３】無線温度感知センサを用いた表皮温度の測定例を示す図である。Ａ．表皮に二重のガーゼを載置した状態の表皮温度変化。Ｂ．パッドを表皮に適用したときの表皮温度変化。Ｃ．生理食塩水の５０％ＮａＣｌ濃度の溶液に浸したマスク不織布を皮膚に適用したときの温度変化。矢印は、パッドと不織布を表皮に載置した時点を示す。
【図４】本発明のパッドの水分蒸発率を示す図である。摂氏３２度に設定された平面ヒーティングブロック（ｈｅａｔｉｎｇ  ｂｌｏｃｋ）にパッドを密着させた後、一定時間の間隔で重量を測定して水分蒸発量を得、これに基づいて水分蒸発率を計算した。５０％生理食塩水のＮａＣｌ濃度から水が蒸発して生理食塩水濃度に至る時間を用いて皮膚への適用時間の基準を定める。
【図５】本発明のパッドの水分蒸発の調節を用いた水分蒸発率の変化を示す図である。
【図６】本発明のパッドのポンピング作用を示す図である。パッドの表面から水分の蒸発が起こると、パッドの下方から上側方向に物質を移動させるポンピング作用が起こるということを確認できる図である。右側の図は、パッド上にラップ（ｗｒａｐ）を被せて水分の蒸発を抑制し、左側の図は、表面を露出させて水分の蒸発が円滑が行われるようにした。パッドの表面から水分の蒸発を抑制すると、パッドの下方に置かれたブロモフェノールブルー（ｂｒｏｍｏｐｈｅｎｏｌ  ｂｌｕｅ）染色試薬の移動がほとんど起こらないことが見られる（右下）。パッドの表面から水分の蒸発が円滑に行われると、ポンピング作用により染色試薬が表面層まで移動したことが見られる（左下）。ａ．３２℃に設定されたホットプレート（ｈｏｔ  ｐｌａｔｅ）の表面；ｂ．ブロモフェノールブルー染色試薬が入っているフィンチャンバ（Ｆｉｎｎ  Ｃｈａｍｂｅｒ）；ｃ．針穴をあけたポリビニル膜；ｄ．パッド；ｅ．ラップ。
【図７】アトピー性皮膚炎患者の患部における本発明のパッドのタンパク質のポンピング作用を示す写真である。アトピー性皮膚炎患者の患部にパッドを３時間３０分間適用した後、これを回収してパッドに移動したタンパク質を分析した。１０％（ｗ／ｖ）ＳＤＳ−ＰＡＧＥゲルを用い、ＣＢＢ−Ｒ染色を行った。Ｌａｎｅ  １．分子量スタンダード（Ｂｉｏ−Ｒａｄ）；Ｌａｎｅ  ２．ヒト血清アルブミン（Ｈｕｍａｎ  ｓｅｒｕｍ  ａｌｂｕｍｉｎ）（Ｓｉｇｍａ−Ａｌｄｒｉｃｈ）；Ｌａｎｅ  ３、４、５．アトピー性皮膚炎患者の患部に適用したパッドから抽出したタンパク質試料。
【図８】本発明のパッドのアトピー性皮膚炎の症状改善例を示す図である。
【図９】本発明のパッドのアトピー性湿疹の症状改善例を示す図である。
【図１０】本発明のパッドの接触性皮膚炎の症状改善例を示す図である。
【図１１】本発明のパッドの乾癬の症状改善例を示す図である。
【図１２】本発明のパッドの蚊に刺された所に適用した結果の写真である。
【図１３】表皮に塗布されたリップスティックをパッドが吸着した結果を示す図である。
【発明を実施するための形態】
【００５３】
以下、非限定的な実施例により本発明をより詳細に説明する。ただし、下記の実施例は本発明を例示するための意図で記載したものであって、本発明の範囲は、下記の実施例によって制限されるものと解釈されない。
【００５４】
実施例１：本発明のパッドの製造
本発明のパッドは、２％（ｗ／ｖ）寒天を食塩水の５０％ＮａＣｌ溶液（約７０ｍＭ）に入れて高圧滅菌（ａｕｔｏｃｌａｖｅ、１２１℃、１５ｌｂ／ｃｍ２、１５分）した後、溶液が６０〜７０℃に冷却したとき、型に注いで２ｍｍの厚さとした。寒天溶液が固化する前、液状を維持して（約５５〜７０℃）、表面に繊維（紙、薄い綿、繊維など）を載せて寒天ゲルと共に一体になるように硬化させた。寒天ゲルが完全に硬化した後に、時々繊維層上に突き出て硬化して形成された寒天被膜は、平らな鋭い道具で掻き出してきれいに除去した。
【００５５】
本発明の基本パッド以外に、表１に記載された様々な組成物を含有するパッドを製造する際には、寒天ゲルが固化する前、ゲルが液状であるとき（５５〜７０℃）、必要とされる成分（例えば、表１に記載された有機酸、レシチンなど）を添加し、よく混合した後に型に注いで硬化させた。ゲルに必要とされる組成物を混合するとき、気泡がゲルの内側に形成されないように細心の注意を払った。
【００５６】
実験例１：表皮温度の測定及びパッドの表皮冷却効果
表皮の温度変化は、無線温度感知センサ（ＳＬ５２Ｔ  ｄａｔａ  ｌｏｇｇｅｒ、Ｓｉｇｎａｔｒｏｌ、ＵＫ）を用いてモニタした。パッドが表皮温度を低下させる効果を確認するために、健常者の腕の内側の皮膚に温度センサを載せた後、二重のガーゼで覆った状態、及び温度センサを皮膚に載せた後、パッド（６×８ｃｍ、２ｍｍの厚さ、生理食塩水の５０％ＮａＣｌ濃度）を載せた状態で、それぞれ温度変化を測定した。なお、パッドの皮膚冷却の持続効果を確認するために、５０％生理食塩水の塩濃度溶液に浸したマスクパック用不織布（６×８ｃｍ）を使用して温度変化を比較した。実験は、室温で行い、実験当時の平均室内温度は２５±１℃、平均相対湿度は３０％であった。温度センサをはじめとするそれぞれのガーゼ、パッド及び食塩水に浸した不織布は、サージネットＴＭを用いて皮膚上に固定した。
【００５７】
実験の結果、健常者の表皮温度は、３２．５±０．５℃（ｎ＝４）であり、本発明のパッドは、表皮温度を約５．８±０．３℃低下させることができた。一方、濡れた不織布は、表皮温度を一時的に低下させることはできるが、持続性がないものと確認された（図３）。
【００５８】
前記と同じ方法でアトピー患者の正常部位及び患部の温度をそれぞれ測定し、健常者の表皮温度と比較した。
【００５９】
アトピー性皮膚炎患者の正常部位の平均温度は摂氏３４．０５±０．４℃（ｎ＝２）であり、炎症がある患部の平均温度は３４．１±０．５℃であった。パッドを適用した患部の表皮温度は、平均６．２５±０．２℃低く維持された。
【００６０】
前記の結果から、アトピー性皮膚疾患を有している患者の表皮温度は、健常者よりも約１．５℃高く、患部の温度は、患者の他の正常部位よりも僅かに高いことが確認できた。アトピー性皮膚疾患は、血管拡張の要因と関連があることを推論できる。
【００６１】
本発明のパッドの適用時に、正常皮膚と比較して、アトピー患者の患部で表皮温度がさらに低くなることが観察された。このようになる理由は、表皮温度が相対的に高いことから、パッドの表面から水分の蒸発が増加して起こる現象であると説明し得る。
【００６２】
実験例２：本発明のパッドの表皮温度低下の持続時間
２ｍｍの厚さのパッドを、摂氏３２℃に設定されたヒーティングブロック（ｈｅａｔｉｎｇ  ｂｌｏｃｋ）（平面プレート（１１．３×６．６ｃｍ）はオーダーメイド、Ｄｒｙ  Ｂａｔｈ、Ｔｈｅｒｍｏ  ＳｃｉｅｎｔｉｆｉｃＴＭ、ＵＳＡ）の表面に密着させ、一定時間の間隔でパッドの重量を測定して、蒸発した水分量を計算した。パッドのゲルには、生理食塩水の５０％ＮａＣｌ濃度を含有するように製造し、これを基準として、パッドの水分が５０％蒸発して生理食塩水濃度に高まる時点を表皮適用時間として設定した。測定の結果、パッドの適用時間は、約４時間３０分と測定された。患者の患部での熱の発生は、正常皮膚に比べてやや高いため、水分蒸発量がより一層増加すると予想される。すなわち、同じ厚さのパッドを使用する場合には、適用時間を相対的に短く適用するか、又はパッドの厚さを増加させて適用時間を延長する調節が可能である。
【００６３】
実験例３：本発明のパッドの表皮温度低下の調節
パッドの表皮への適用時に、実験室で与えられた環境条件において、適用部位の表皮温度を約６℃低下させる効果が奏される。時々、低下した温度の差により、使用者が寒さを感じる場合がある。このような不快感を解消するために、パッドの水分蒸発量を調節して、表皮温度が低下する程度を調節する必要がある。一定の間隔で穴あけされたポリビニル膜をパッドの表面に付着して、水分の蒸発を制御することによって表皮温度が低下することを調節することができる。３２℃に設定されたホットプレートの表面で水分の蒸発を測定したとき、穴あけされた面積が３０％であるビニル膜でパッドを覆った場合には、水分蒸発率は６４％減少し、穴あけされた面積が１５％であるビニル膜でパッドを覆った場合には、水分の蒸発が５２％減少した（図５）。健常者の皮膚において穴あけされたビニル膜の表皮温度低下の効果を測定した際、１５％の面積で穴あけされたビニル膜を覆って測定した場合、３．１±０．１℃の表皮温度低下の効果が奏され、穴あけ面積が３０％であるビニル膜は４．４±０．１℃であった。表面を全く覆っていないパッドが表皮温度を６．２５±０．２℃低下させることと比較して、それぞれ、約５０％と約７０％の表皮温度低下の効果を有する。
【００６４】
このような温度調節方法は、患者の寒さによる不快感を低減し得る方法として選択的に用いることができる。なお、水分の蒸発を遅延させてパッドの表皮適用時間を延長させ得る方法としても用いることができる。
【００６５】
パッドの表面の水分の蒸発を制御すると、パッドの表皮温度低下の効果を調節することができる。パッドの表面を、それぞれ１５％及び３０％穴あけされたビニル膜で覆うことで、水分の蒸発を調節した。パッドの表面を１５％露出させた場合、水分の蒸発は５２％減少し、３０％露出させた場合、水分の蒸発は６４％減少した。表皮温度低下の効果は、全表面が露出されたパッドに比べて、それぞれ約５０％及び７０％と低下した。
【００６６】
実験例４：水分の蒸発による本発明のパッドのポンピング（ｐｕｍｐｉｎｇ）作用
パッドの表面から水分が蒸発すると、パッドの下面から上方の表面方向に物質を速やかに移動させるポンピングをする現象が起こる。ポンピング作用は、アトピー性皮膚疾患及び様々な滲出性皮膚疾患において、蓄積した血漿タンパク質、様々なイオン及び有機物質を表皮から除去するのに用いられる重要なメカニズムである。本実験は、パッドのポンピング作用を証明するために、次のように実験を設計した。
【００６７】
摂氏３２℃に設定されたヒーティングブロック上に、Ｆｉｌｔｅｒ  Ｐａｐｅｒ  Ｄｉｓｃ用フィンチャンバ（直径１１ｍｍ）を載せ、０．１％（ｗ／ｖ）ブロムフェノールブルー（ｂｒｏｍｐｈｅｎｏｌ  ｂｌｕｅ）（ＢＰＢ、分子量６６９．９）溶液を充満させた。チャンバをラップ（ｗｒａｐ）で被せた後、チャンバの中心に一定の太さの針で穴をあけ、真上にパッドを接触させて載置した。パッドを、上方の表面を正常に空気中に露出した状態、及びラップでパッドの上方の表面を覆った状態で、ＢＰＢ染色試薬の移動を観察した（図６）。この実験では、パッドのゲル層でＢＰＢの移動を見易く視覚化する目的で６ｍｍの厚さのパッドを作製して使用した。観察時間は９０分であった。
【００６８】
パッドの表面から水分が蒸発すると、パッドの底面からパッドの上方の表面に物質を吸い上げて移動させる力が作動するようになる。このようなパッドのポンピング作用は、表皮から、蓄積した血漿タンパク質、血漿から由来した様々なイオン及びその他の有機物質を除去するのに応用することができる。この結果から、パッドの皮膚への適用時に、パッドの上方の表面を外部に露出させて水分の蒸発を円滑に維持することが重要である。
【００６９】
実験例５：アトピー患者の患部における本発明のパッドのタンパク質のポンピング作用
アトピー性皮膚炎患者の患部にパッドを３．５時間適用した後、これを回収し、パッドのゲルの中へ移動したタンパク質を確認した。患者に３時間３０分適用した後に回収したパッドを、カミソリにより細かく切断（ｄｉｃｅｄ）した後、４ｘ  ＳＤＳ−ＰＡＧＥ  ｓａｍｐｌｅ  ｂｕｆｆｅｒを入れ、１時間インキュベーション（ｉｎｃｕｂａｔｉｏｎ）した。破砕されたゲル断片とＳＤＳ−ｓａｍｐｌｅ  ｂｕｆｆｅｒは、０．４５μｍ、Ｓｐｉｎ−Ｘ遠心分離チューブ（ＣｏｓｔｅｒR、ＣｏｒｎｉｎｇR）を用いて遠心分離（５００ｇで３０分）した。回収された試料は、１０％（ｗ／ｖ）ＳＤＳ−ＰＡＧＥゲルで展開した。展開されたタンパク質は、クーマシーブリリアントブルー（Ｃｏｏｍａｓｓｉｅ  Ｂｒｉｌｌｉａｎｔ  Ｂｌｕｅ）−Ｒ２５０染色方法により視覚化した。実験の結果、血漿アルブミン（６７ＫＤａ）及び小さなタンパク質がパッドの中へ移動したことが確認された。パッドは、表皮温度を低下させる効果を有すると同時に、血管から滲出して皮膚組織に蓄積したタンパク質を除去する効果を有することによって、アトピー性皮膚炎及び類似の滲出性皮膚疾患の症状の改善に役立つことができるということを示す結果である（図７）。
【００７０】
実験例６：パッドの主要構成成分及び症状改善効能効果の証明実験
本発明が指向するパッドは、独特の基本構造のみでも表皮温度を一定に低下させることで、患部の周辺の血管を収縮させる効果を有し、表皮に蓄積した滲出タンパク質を除去して症状改善効果を有する。しかし、滲出したタンパク質をより効果的に除去すると同時に掻痒感を減少させる場合、より一層速やかに症状改善効果を得ることができるので、パッドの組成物に有機酸及びレシチンを添加して症状改善効果を高めようと試みた。本発明で使用された有機酸は、疎水性結合及びイオン結合を妨げる目的で使用し、レシチン（動物又は植物から抽出した全リン脂質）は、洗剤−類似（ｄｅｔｅｒｇｅｎｔ−ｌｉｋｅ）の性質を有する物質として使用した。
【００７１】
使用された有機酸としては、プロピオン酸（ｐｒｏｐｉｏｎｉｃ  ａｃｉｄ）を基準として、酢酸（ａｃｅｔｉｃ  ａｃｉｄ）及び酪酸（ｂｕｔｙｒｉｃ  ａｃｉｄ）をそれぞれ同じ濃度でパッドに添加して使用し、各成分が示す症状改善効果を比較した。
【００７２】
本実験で使用されたレシチンは、パームレシチン及び豚の肺から抽出したレシチンをそれぞれ使用した。パームレシチンは、粗パーム油（ｃｒｕｄｅ  ｐａｌｍ  ｏｉｌ）から、Ｐａｒｄｕｎが記述したリン脂質抽出方法（Ｐａｒｄｕｎ  Ｈ．１９８８，Ｐｆｌａｎｚｅｎｌｅｃｉｔｈｉｎｅ．Ｇｅｗｉｎｎｕｎｇ，Ｅｉｇｅｎｓｃｈａｆｔｅｎ，Ｖｅｒａｒｂｅｉｔｕｎｇ  ｕｎｄ  Ａｎｗｅｎｄｕｎｇ  ｐｆｌａｎｚｌｉｃｈｅｒ  Ｐｈｏｓｐｈａｔｉｄｐｒａｐａｒａｔｅ．Ｚｉｏｌｋｏｗｓｋｙ，Ａｕｇｓｂｕｒｇ  ＩＳＢＮ  ３−８７８４６−１２８−３）を用いて抽出した。豚の肺組織から抽出したレシチンは、Ｍｏｏｎ  ｅｔ  ａｌ．が記述した方法（Ｍｏｏｎ  Ｊ．Ｓ．，Ｊｅｏｎ  Ｂ．Ｓ．，Ｙｏｏｎ  Ｂ．Ｉ．，Ｃｈｏｉ  Ｓ．Ｈ．ａｎｄ  Ｌｉｍ  Ｃ．Ｊ．（２０１２）  Ｍｏｌ．Ｂｉｏｌ．Ｒｅｐ．３９：４２３７−４２４７）で抽出及び精製して使用した。
【００７３】
本発明の基本形態のパッド及び様々な組成物を含有するパッドの効能効果を調べるために、アトピー性皮膚炎、アトピー性湿疹、接触性皮膚炎を患っている患者の中で実験志願者を選別して実験を行った。参加者は、地元の又は総合病院で各疾患と診断された患者であった。患者は、パッドが有している成分の安全性について説明を聞いたが、どの成分のパッドが適用されたかは認知できないようにした。各パッドの適用は３時間３０分であり、パッドを患部から除去した後、２０分経過後に写真撮影をし、皮膚が改善された程度を比較した。
【００７４】
効能効果を評価するために、２つの項目は患者が自ら評価するようにした。１．掻痒感がどれくらい減少したか、２．患者が感じるに皮膚の改善の程度はどれくらいであるか、これらの２つの項目に対して、‘改善効果なし’０点を基準として、‘状態が悪くなった’に対して最大−３点、‘効果が良い’に対して＋３点を評価するようにした。患者が自ら評価する２つの項目以外にも、研究者３人が患者の前後写真を比較した後、炎症減少効果を点数で評価し、平均値を効能効果評価に反映した。
【００７５】
症状改善効果を観察するために組成したパッドは、表１の通りである。
【００７６】
【表１】
2020505132.tif 000003
【００７７】
表１は、効能効果の検証に使用されたパッドの種類である。
【００７８】
アトピー性皮膚炎に適用した結果
【００７９】
【表２】
2020505132.tif 000004
【００８０】
表２は、パッドをアトピー性皮膚炎患者に適用したときの効能効果の評価結果である。
【００８１】
本発明のパッドに添加した動物性及び植物性レシチンのそれぞれが効能に及ぼす影響を調べるために、アトピー性湿疹を有している患者に適用した。評価は、アトピー性皮膚炎患者と同様の方式で行った。結果は、次の通りである（表３）。
【００８２】
【表３】
2020505132.tif 000005
【００８３】
表３は、アトピー性湿疹患者にパッドを適用したときの効能効果の評価結果である。
【００８４】
基本パッドに添加した有機酸以外にも、さらに添加したレシチンの影響を調べるために、接触性皮膚炎を有している患者に適用してその影響を評価した。評価方法は、上述したアトピー性皮膚炎及びアトピー性湿疹患者に適用した方法と同一である。結果は、次の通りである（表４）。
【００８５】
【表４】
2020505132.tif 000006
【００８６】
表４は、接触性皮膚炎を有している患者にパッドを適用したときの効能効果の評価結果である。
【００８７】
アトピー性皮膚炎、湿疹、接触性皮膚炎を有している患者に様々な組成のパッドを適用してみたとき、パッドは、１回の適用（３時間３０分）でも目視で確認可能なレベルの症状改善を示した（各疾患別の症状改善の例：図８、図９、図１０、及び図１１）。実験に参加した患者の症状の軽重が多様であるので、絶対的な比較評価をすることはできないが、パッドは、掻痒感を低減させ、皮膚症状の改善及び炎症症状（ｓｋｉｎ  ｒｅｄｎｅｓｓ）を低減させることは明らかである。特に、パッドに有機酸が添加されると、掻痒感の減少及び症状の改善がより明らかであり、有機酸及びレシチンが共に添加されると、症状改善の評価点数はさらに高く上昇する。本発明のパッドに組成物として使用された有機酸のうち、プロピオン酸及び酪酸のそれぞれは、酢酸が症状の改善に示した効果よりももう少し良いと評価できる。追加で添加した動物性レシチン（豚の肺組織から抽出したリン脂質）及び植物性レシチン（粗パーム油から抽出したリン脂質）が症状の改善に及ぼす効果においては、有機酸を単独で使用した場合よりもさらに良い症状改善効果を示した。動物性レシチンと植物性レシチン、これらの二つのみの影響を比較すると、動物性レシチンがもう少し良いと判断できるが、評価点数の差が非常に小さく、適用した患者の状態が異なるため、２つのレシチンの優位性を絶対的に比較することはできない。参考までに、様々な患者に、パッドの適用時に掻痒感が著しく減少する時間について質問したが、患者各々が感じる時点は大きく異なった。ところが、疾患別には大きな差を示しており、接触性皮膚炎（ｎ＝５）は、パッドの適用後５分以内に掻痒感が減少し、アトピー性皮膚炎（ｎ＝２９）及びアトピー性湿疹（ｎ＝９）は、それぞれ９０分と４７分であった。
【００８８】
本発明のパッドの適用（乾癬）
上述したＰ−ＢＰＰＬパッドを乾癬患者の表皮に適用して改善効果を確認した。当該パッドを４時間適用した後に写真を撮影して症状の改善を確認した。患部の背景色が減少し、角質の質感の変化が明らかに観察される（図１１）。
【００８９】
本発明のパッドの応用（蚊刺され）
蚊に刺されると、血管拡張と共に掻痒感及び局所的な熱感が生じる。本特許のパッドは、血管収縮、患部の冷却機能及び掻痒感の減少の機能があるので、蚊に刺された皮膚に適用して効果を観察した。総３回の観察機会があった。このときに使用したパッドは、上述したパッドＰ−ＢＰ（１ｍｉｃｒｏ−Ｍ  ｐｒｏｐｉｏｎｉｃ  ａｃｉｄ／ｐｒｏｐｉｏｎａｔｅを含有）より２０倍高いプロピオン酸（２０ｍｉｃｏ−Ｍ  ｐｒｏｐｉｏｎｉｃ  ａｃｉｄ／ｐｒｏｐｉｏｎａｔｅ、ｐＨ５．８）濃度を含有するパッドを使用した。パッドの適用後に、掻痒感が消滅する時間は、平均１５分と観察され、蚊に刺された跡が引く時間は、約４５分と観察された（図１２）。
【００９０】
その他の観察結果
有機酸濃度を増加させると、患者が感じる掻痒感の減少の時点が早くなるが、一部において患部の状態が悪化する場合がある。特に、アトピー性皮膚炎患者の中で角質がほとんど消失しており、患部に感染が伴った患者に、プロピオン酸濃度が２０ｍｉｃｒｏ−Ｍのパッドを１時間適用したとき、患部が腫れ、粘液の滲出（ｏｏｚｉｎｇ）がさらにひどくなる場合があった。このような理由は、アトピー性皮膚炎患者の皮膚保護障壁（ｓｋｉｎ  ｂａｒｒｉｅｒ）が損傷した状態でプロピオン酸が皮膚に過度に伝達された結果であると推測される。
【００９１】
表皮構造の安定化に必要とされるカルシウムイオン濃度は、ｎＭ（ｎａｎｏ−Ｍ）レベルであるが、過度に伝達されたプロピオン酸がカルシウムの固有の機能を妨げた可能性がある。一方、健常者の皮膚では、パッドにプロピオン酸濃度を６０ｍｉｃｒｏ−Ｍ濃度まで増加させて適用してみたが、いかなる否定的な影響も観察されなかった。一方、長い間アトピー性皮膚炎を患って角質が厚くなった（苔癬化、ｌｉｃｈｅｎｉｆｉｃａｔｉｏｎ）患者は、４０ｍｉｃｒｏ−Ｍ濃度のプロピオン酸が含まれるパッドの使用にも、何の皮膚異常反応も示さなかった。
【００９２】
レシチンを用いた効能効果実験において１ｍｇ／ｍｌを使用したが、８０ｍｇ／ｍｌのリン脂質を含有するパッドを角質が損傷したアトピー患者に適用したにもかかわらず、異常反応を示さなかった。レシチンに含まれるリン脂質分子は、有機酸分子よりも分子量が大きいため、皮膚の内側に伝達される量が相対的に少なく、パッドのポンピング作用によってほとんどゲルの上方の表面に分子が移動する現象による結果であると推定される。
【００９３】
化粧品への適用
本発明のパッドと関連して、本発明の明細書において、分子量７００Ｄａの染色試薬を吸着することを証明し、アトピー患者への処置においてタンパク質を吸着することを示している。すなわち、パッドのこのような吸着機能は、一般人が化粧品として使用することによって、皮膚老廃物を除去する掃除（クレンジング）効果が得られると推論できる。
【００９４】
図１３は、表皮に塗布されたリップスティックをパッドが吸着した結果である。皮膚への適用時間は１時間である。
【００９５】
図１３の写真で明確に示すように、リップスティックが横に拡散したものではなく、境界を保持して上側方向に吸い上げられたことを確認できる。このような吸着機能は、様々な化粧品を使用する女性が使用することによって、表皮に残存し得る化粧品成分を除去する役割を果たし得ると見なすことができる。特に、最近流行っている‘表皮に付いている微細粉塵の除去’を目的として適用可能である。
【図１】
2020505132.tif 000007
【図２】
2020505132.tif 000008
【図３】
2020505132.tif 000009
【図４】
2020505132.tif 000010
【図５】
2020505132.tif 000011
【図６】
2020505132.tif 000012
【図７】
2020505132.tif 000013
【図８】
2020505132.tif 000014
【図９】
2020505132.tif 000015
【図１０】
2020505132.tif 000016
【図１１】
2020505132.tif 000017
【図１２】
2020505132.tif 000018
【図１３】
2020505132.tif 000019
【国際調査報告】
2020505132.tif 000020
2020505132.tif 000021
2020505132.tif 000022
2020505132.tif 000023